(57)【要約】【課題】近距離から液晶表示パネルに表示された映像に向けてリモコン操作が行われた場合に，そのリモコンから送信される操作信号を受信することのできる液晶表示装置を提供すること。【解決手段】当該液晶表示装置Ｘに対して遠隔操作を行うためのリモコン２０から送信された操作信号を受信する信号受信部２２が，テレビジョン放送などの映像を表示する液晶表示パネル１による映像表示領域の範囲内に配置されることを特徴とする。具体的には，当該液晶表示装置Ｘに設けられたバックライト装置に設けられるＬＥＤの搭載基板に前記信号受信部を搭載することが考えられる。【選択図】図３
2007274168.tif 000002
【特許請求の範囲】
【請求項１】
映像を表示する液晶表示手段と，当該液晶表示装置に対して各種の操作を遠隔で行うための遠隔操作手段と，前記遠隔操作手段から送信された操作信号を受信する第一の信号受信部と，を備えてなる液晶表示装置であって，
前記第一の信号受信部が，前記液晶表示手段による映像表示領域の範囲内に配置されてなることを特徴とする液晶表示装置。
【請求項２】
前記液晶表示手段による映像表示領域の範囲外に配置されてなり，前記遠隔操作手段から送信された前記操作信号を受信する第二の信号受信部を更に備えてなる請求項１に記載の液晶表示装置。
【請求項３】
前記第一の信号受信部が，前記液晶表示手段の中央部近傍に配設されてなる請求項１又は２のいずれかに記載の液晶表示装置。
【請求項４】
前記液晶表示手段を背面から照射する光照射手段を有するバックライト装置を更に備えてなり，
前記第一の信号受信部が，前記バックライト装置の前記光照射手段が搭載される基板に搭載されてなる請求項１〜３のいずれかに記載の液晶表示装置。
【発明の詳細な説明】
【技術分野】
【０００１】
本発明は，映像を表示する液晶表示装置に関し，特に，リモコンなどの遠隔操作手段を用いて各種の遠隔操作を行うときの操作性を向上させるための技術に関するものである。
【背景技術】
【０００２】
一般に，テレビジョン放送を受信して映像を表示する液晶表示装置は，そのテレビジョン放送のチャンネルの切り換えなどの各種の操作を遠隔で行うためのリモコン（遠隔操作手段）を備えて構成される。例えば，図４に示すように，液晶表示パネル１０１と，筐体１０２と，前記筐体１０２の右下端部に配設された信号受信部１２１と，リモコン１２０とを備えた従来の液晶表示装置Ｚでは，ユーザによる前記リモコン１２０の操作により該リモコン１２０から送信された操作信号が，前記信号受信部１２１で受信されることにより，その操作信号に対応する処理が実行される。
一方，特許文献１には，液晶表示パネル外の中央部に信号受信部が設けられた構成が示されており，特許文献２には，液晶表示パネルと重合する位置であって該液晶表示パネルによる映像の表示領域の範囲外に信号受信部が設けられた構成が示されている。
【特許文献１】特開平８−２９２４２１号公報
【特許文献２】実開平４−８５８９号公報
【発明の開示】
【発明が解決しようとする課題】
【０００３】
ところで，一般にユーザには，液晶表示装置に表示された映像に向けてリモコンの操作を行うという習性がある。ここで，図４に示すように，遠距離から液晶表示パネル１０１に表示された映像に向けてリモコン１２０の操作が行われた場合には，その操作信号は前記信号受信部１２１に到達して受信される。
しかしながら，近距離から液晶表示パネル１０１に表示された映像に向けてリモコンの操作が行われた場合には，その操作信号が前記信号受信部１２１に到達せず受信されないという問題が生じる。
【０００４】
一方，前記特許文献１や前記特許文献２に記載された構成では，前記信号受信部１２１が筐体１０２の右下端部に配設された前記液晶表示装置Ｚ（図４参照）に比べて近い位置から映像に向けて操作されたリモコンの操作信号を受信することができる。
しかしながら，前記特許文献１や前記特許文献２に記載された構成であっても，信号受信部が映像の表示領域外に配設されているため，ある程度の距離よりも近い位置から映像に向けてリモコンの操作が行われた場合には，その操作信号を受信することができないという問題が生じる。
特に，近年急速に普及されつつある５７型などの大型液晶画面を有する液晶表示装置では，このような問題が顕著に現れる。
従って，本発明は上記事情に鑑みてなされたものであり，その目的とするところは，近距離から液晶表示パネルに表示された映像に向けてリモコン操作が行われた場合に，そのリモコンから送信される操作信号を受信することのできる液晶表示装置を提供することにある。
【課題を解決するための手段】
【０００５】
上記目的を達成するために本発明は，映像を表示する液晶表示手段と，当該液晶表示装置に対して各種の操作を遠隔で行うための遠隔操作手段と，前記遠隔操作手段から送信された操作信号を受信する第一の信号受信部と，を備えてなる液晶表示装置に適用されるものであって，前記第一の信号受信部が，前記液晶表示手段による映像表示領域の範囲内に配置されてなることを特徴とする液晶表示装置として構成される。
このように構成された本発明によれば，近距離から前記液晶表示手段に表示された映像に向けて前記遠隔操作手段の操作が行われた場合であっても，該遠隔操作手段から送信された操作信号を，前記液晶表示手段による映像表示領域の範囲内に配置された前記第一の信号受信部で受信することができる。
ここで，前記第一の信号受信部が，前記液晶表示手段による映像表示領域の範囲内に配置されると受信感度が低くなるため，遠距離の前記遠隔操作手段から前記操作信号が送信された場合に，その操作信号を感知することができないおそれがある。
そこで，前記液晶表示手段による映像表示領域の範囲外に配置されてなり，前記遠隔操作手段から送信された前記操作信号を受信する第二の信号受信部を更に備えてなることが望ましい。これにより，遠距離から前記液晶表示手段に表示された映像に向けて前記遠隔操作手段の操作が行われた場合にも，該遠隔操作手段から送信された操作信号を前記第二の信号受信部で前記操作信号を受信することができる。このとき，前記第一の信号受信部及び前記第二の信号受信部で共に前記操作信号が受信されることが考えられるため，いずれか一方で操作信号が受信された場合には他方で受信された操作信号を無効化するロジック回路などを設けておくことが望ましい。
【０００６】
ところで，前記液晶表示手段に表示された映像のどの部分に向けて前記遠隔操作手段が操作されてもその操作信号を受信しやすいように，前記第一の信号受信部は，前記液晶表示手段の中央部近傍に配設しておくことが望ましい。また，前述したように，ユーザには前記液晶表示手段に表示された映像に向かって前記遠隔操作手段を操作する習性があるが，特に，前記液晶表示手段の中央部に向けて操作されることが多いため，前記第一の信号受信部を前記液晶表示手段の中央部近傍に配設することで，より確実に前記操作信号を受信することができる。
【０００７】
具体的に，前記液晶表示手段を背面から照射する光照射手段を有するバックライト装置を備える液晶表示装置に適用する場合には，前記第一の信号受信部を，前記バックライト装置の前記光照射手段が搭載される基板に搭載することが望ましい。このように，前記光照射手段及び前記第一の信号受信部の搭載基板を兼用することで，前記第一の信号受信部を前記液晶表示手段による映像表示領域の範囲内に配設するために必要な構成要素の追加を抑制することができる。
【発明の効果】
【０００８】
本発明によれば，近距離から前記液晶表示手段に表示された映像に向けて前記遠隔操作手段の操作が行われた場合であっても，該遠隔操作手段から送信された操作信号を，前記液晶表示手段による映像表示領域の範囲内に配置された前記第一の信号受信部で受信することができる。特に，前記第一の信号受信部を前記液晶表示手段の中央部近傍に配設することで，より確実に前記操作信号を受信することができる。
また，前記液晶表示手段による映像表示領域の範囲外に前記第二の信号受信部を設ければ，遠距離から前記液晶表示手段に表示された映像に向けて前記遠隔操作手段の操作が行われた場合にも，該遠隔操作手段から送信された操作信号を前記第二の信号受信部で前記操作信号を受信することができる。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る液晶表示装置Ｘの概略構成図，図２は前記液晶表示装置Ｘに設けられたバックライト装置１０の正面図，図３は前記液晶表示装置Ｘに対する近距離及び遠距離からのリモコン操作を説明するための図である。
図１に示すように，前記液晶表示装置Ｘは，映像を表示する液晶表示パネル１と，当該液晶表示装置Ｘの筐体２と，前記液晶表示パネル１を背後から照明するバックライト装置１０と，該バックライト装置１０の発光に配色特性及び輝度分布特性を持たせる光学部材であるリフレクタ３，拡散板４，拡散シート５，プリズムシート６及び反射偏光シート７と，当該液晶表示装置Ｘに対して各種の操作を遠隔で行うためのリモコン２０（図３参照，遠隔操作手段の一例）と，前記リモコン２０から送信される操作信号を受信する信号受信部２１（第二の信号受信部の一例）及び信号受信部２２（第一の信号受信部の一例）と，を備えて概略構成されている。また，前記液晶表示装置Ｘは，ＣＰＵやＲＯＭ，ＲＡＭなどの制御機器を有する不図示の制御部を備えており，該制御部によって統括的に制御される。なお，前記液晶表示装置Ｘは，例えば，受信したテレビジョン放送や外部から入力された映像を表示するテレビジョン受像機である。
【００１０】
前記信号受信部２１及び前記信号受信部２２により受信された操作信号は，前記制御部（不図示）に入力される。そして，前記制御部（不図示）により前記操作信号に対応する処理が実行される。
ここで，前記信号受信部２１は，従来の前記液晶表示装置Ｚ（図４参照）と同様に前記液晶表示装置Ｘの筐体２の右下端部に配設されている。
一方，前記信号受信部２２は，前記液晶表示パネル１による映像表示領域の範囲内に配設されており，具体的には，前記バックライト装置１０内に配設されている。後述するように，当該液晶表示装置Ｘでは，前記信号受信部２２が，前記液晶表示パネル１による映像表示領域の範囲内に配設されているため，近距離から前記液晶表示パネル１の映像に向けて前記リモコン２０が操作された場合に，その操作信号を受信することができる。
【００１１】
次に，図２を用いて，前記信号受信部２２が配置された前記バックライト装置１０について説明する。
図２に示すように，前記バックライト装置１０は，上下方向に配列された複数の蛍光管１１と，該蛍光管１１各々の駆動を制御する複数のインバータ回路１２（図１（ａ）参照）と，赤色の波長光を発光する複数のＬＥＤ（光照射手段の一例）１３と，該ＬＥＤ１３が搭載された複数のＬＥＤ基板１４と，前記蛍光管１１を支持するランプホルダ１５と，を備えて概略構成されている。前記ＬＥＤ１３の光は，前記リフレクタ３に形成された開口３ａから前記液晶表示パネル１に向けて照射される。
【００１２】
前記信号受信部２２は，前記複数のＬＥＤ基板１４のうち，当該バックライト装置２の中央に位置するＬＥＤ基板１４ａの中央部に搭載されている。即ち，前記信号受信部２２は，前記液晶表示装置Ｘに設けられた前記液晶表示パネル１の中央部に配設されている。なお，前記信号受信部２２は，前記液晶表示パネル１や前記反射偏光シート７，前記プリズムシート６などの背部に設けられることになるため，外部から前記信号受信部２２を視認することができず，従来の前記液晶表示装置Ｚ（図４参照）と外見上は異なるところがない。
一方，前記信号受信部２２の配設位置に対応する前記リフレクタ３の中央部には，前記信号受信部２２を覗かせる開口３ｂが形成されている。これにより，外部から送信される操作信号は，前記開口３ｂを介して前記信号受信部２２に入力される。
このとき，前記信号受信部２２は，前記ＬＥＤ基板１４ａにおいて並設された前記ＬＥＤ１３の間の隙間に配設されているため，前記ＬＥＤ１３の数を減らす必要がなく，該バックライト装置１０の色ムラは防止されている。
しかも，前記信号受信部２２を前記ＬＥＤ基板１４に搭載しているため，即ち前記ＬＥＤ１３と基板を兼用しているため，該信号受信部２２を搭載するための基板を別途構成要素として追加する必要がない。
【００１３】
以下，図３を用いて，本発明の実施の形態に係る前記液晶表示装置Ｘにおける前記リモコン２０の操作について説明する。
まず，近距離から前記液晶表示パネル１により表示される映像に向けて前記リモコン２０が操作された場合，その操作信号は，前記液晶表示パネル１の映像表示領域の背部に設けられた前記信号受信部２２によって受信される。
ここで，前述したように，前記信号受信部２２は，前記液晶表示パネル１や前記反射偏光シート７，前記プリズムシート６などの背部に設けられた前記バックライト装置２０に配設されているため，前記操作信号が前記信号受信部２２に到達するまでの間に減衰することが考えられる。しかし，このとき前記リモコン２０は近距離にあるため，前記操作信号が多少減衰したとしてもその操作信号を前記信号受信部２２で感知することが可能である。
このように，前記液晶表示装置Ｘでは，ユーザの習性により前記液晶表示パネル１により表示される映像に向けて前記リモコン２０が操作されたとしても，その操作信号を受信することができるため操作性を向上させることができる。さらに，前記信号受信部２２が，前記液晶表示パネル１の中央部近傍に配置されているため，前記液晶表示パネル１により表示される映像に向けて前記リモコン２０が操作された場合に，その操作信号を受信することができる範囲が広い。
なお，本実施の形態では，前記信号受信部２２が前記液晶表示パネル１の中央部近傍に配設される例について述べたが，これに限られるものではない。例えば，前記液晶表示パネル１による映像表示領域の範囲内に複数の前記信号受信部２２を設ける構成が考えられる。
【００１４】
他方，遠距離から前記液晶表示パネル１により表示される映像に向けて前記リモコン２０が操作された場合には，その操作信号は前記液晶表示装置Ｘに到達するまでの間に拡散して減衰する。そして，その操作信号は，前記液晶表示パネル１や前記反射偏光シート７，前記プリズムシート６などの背部の前記信号受信部２２に到達するまでの間に更に減衰するため，前記信号受信部２２で感知されないおそれがある。
しかしながら，前記液晶表示装置Ｘには，前記筐体２の右下端部に前記信号受信部２１が設けられている。したがって，遠距離から前記液晶表示パネル１により表示される映像に向けて前記リモコン２０が操作された場合には，従来通りその操作信号が前記信号受信部２１によって感知される。
但し，前記リモコン２０の操作位置から前記液晶表示装置Ｘまでの距離によっては，該リモコン２０から送信された前記操作信号が，前記信号受信部２１及び前記信号受信部２２の両方で受信される可能性がある。そのため，前記信号受信部２１により操作信号が感知された場合には，前記信号受信部２２により感知された操作信号を無効化するロジック回路などを設けることが望ましい。
以上説明したように，前記液晶表示装置Ｘでは，ユーザが，前記液晶表示装置Ｘの液晶表示パネル１から近距離及び遠距離のいずれの位置から前記リモコン２０を操作しても，その操作信号を前記信号受信部２１及び前記信号受信部２２のいずれかによって受信することができる。
【図面の簡単な説明】
【００１５】
【図１】本発明の実施の形態に係る液晶表示装置の概略構成図。
【図２】本発明の実施の形態に係る液晶表示装置に設けられたバックライト装置の正面図。
【図３】本発明の実施の形態に係る液晶表示装置におけるリモコン操作を説明するための図。
【図４】従来の液晶表示装置におけるリモコン操作を説明するための図。
【符号の説明】
【００１６】
１…液晶表示パネル（液晶表示手段の一例）
２…筐体
３…リフレクタ
３ａ，３ｂ…開口
４…拡散板
５…拡散シート
６…プリズムシート
７…反射偏光シート
１０…バックライト装置
１１…蛍光管
１２…インバータ回路
１３…ＬＥＤ（光照射手段の一例）
１４（１４ａ）…ＬＥＤ基板
１５…ランプホルダ
２１…信号受信部（第二の信号受信部の一例）
２２…信号受信部（第一の信号受信部の一例）
Ｘ…液晶表示装置
【図１】
2007274168.tif 000003
【図２】
2007274168.tif 000004
【図３】
2007274168.tif 000005
【図４】
2007274168.tif 000006